(57)【要約】      （修正有）【課題】ハンドルの一部を可動にすることで、片手で容易に安全かつ確実に操作できる、簡単な構成を有するフォールディングナイフを提供する。【解決手段】背金５を挟んで、右側板４と左内側板３とをボルトで固定すると共に、左外側板２を一体としたハンドル６の後端に、左外側板が自由に回転可動するよう後軸３０を設けると共に、ブレード１が自由に回転可動するようハンドル前端に前軸１０を設け、左外側板２の前端内側に、左内側板とブレードとに共通して開けた溝と右側板内側に設けた凹形の溝とを共通して移動するロックピン１２をネジ止めして設けると共に、左外側板の凹み２１に、左外側板と左内側板を接着固定したり外したりできるように、止め軸２２内に収納したコイルスプリングの加圧により留め金の役目をする安全球２０を設ける。【選択図】図１
0003198053.tif 000002
【実用新案登録請求の範囲】
【請求項１】
背金を挟んで、右側板と背金と左内側板とをボルトで固定し、左外側板とで一体としたハンドルの後端に、左外側板が自由に回転可動するよう軸を設けると共に、ブレードが自由に回転可動するようハンドル前端に軸を設け、左外側板の前端内側に、左内側板とブレードとに共通して開けた溝と右側板内側に設けた凹形の溝とを共通して移動するロックピンをネジ止めして設けると共に、左外側板と左内側板とが互いに接着固定したり外したりするよう、止め軸内に収納したコイルスプリングに加圧されることで、留め金の役目をする安全球を設けることを特徴とするフォールディングナイフ。
【考案の詳細な説明】
【技術分野】
【０００１】
本考案は、ハンドルの片側を可動にし、これを操作することにより、ブレードを片手で容易に開閉できるフォールディングナイフに関するものである。
【背景技術】
【０００２】
従来、ハンドル内外に設けた装置を操作することにより、ブレードの開閉を片手で行えるフォールディングナイフがあった。ハンドルに設けたボタンやレバーを操作することでブレードのロックを開閉するフォールディングナイフは、ボタンやレバーが直接ブレードを固定するものがあり、指先で操作するため構造上操作スペースを十分に設けられず操作しずらかった。
【先行技術文献】
【特許文献】
【０００３】
【特許文献１】特開２００３−２３６２６４号広報
【考案の概要】
【考案が解決しようとする課題】
【０００４】
上記の通り、特許文献１の折りたたみナイフは、ブレードのロックを開閉するためハンドル内にボールを有している、そのためハンドル外側に開口部を設け指先で操作するが、構造上開口部広さが十分取れていないので操作しずらく誤操作するおそれがあった。
【課題を解決するための手段】
【０００５】
本考案は、簡易な操作でハンドルそのものの一部を可動にすることで、ブレード使用状態やハンドル内にブレードが収納された状態でも不用意なロック解除が起こらず、容易な操作で安全かつ確実に片手で開閉できることを最も主要な特徴とする。
【考案の効果】
【０００６】
本考案のフォールディングナイフは、ハンドルを握ったまま片手で安全球を操作するだけで、ハンドルそのものの一部を可動にし、ブレードの開閉状態にかかわらずブレードは固定され、ハンドル内に設けた装置を保持しながら安全かつ確実にブレードとハンドルとを保持することができる利点がある。
【図面の簡単な説明】
【０００７】
【図１】図１は本考案の構成を示した斜視図である。
【図２】図２は本考案のブレードが開いている状態と閉じている状態の展開図。
【図３】図３は本考案のブレードがロックされた状態とロックが外されている状態の左側面図である。
【考案を実施するための形態】
【０００８】
ハンドルの一部を可動にすることでブレードの開閉を片手でするという目的を、最少の部品点数で、安全確実な作業を損なわずにできることを実現した。
【実施例】
【０００９】
本実施例に係るハンドルの一部を操作することでブレードを片手で容易に開閉できるフォールディングナイフについて、図面を参照しながら説明する。図１は、本実施例の斜視図であってブレード(１)と左外側板(２)と左内側板(３)と背金(５)と右側板(４)とで構成されるハンドル(６)を備えている。
【００１０】
図２は、本実施例の展開図で、ブレード(１)が開いている状態でロックされ、ハンドル(６)の左外側板(２)と左内側板(３)とを取り外した左側面である。図１で示した左外側板(２)の後端に中心部に開孔のある凹(３１)を設け、後軸(３０)を左外側板(２)と左内側板(３)と背金(５)とを通し、右側板(４)にネジ止めする。背金(５)内にコイルスプリング(３２)を収納し、一端は背金(５)の溝で固定し多端は左内側板(３)の開孔を経て左外側板(２)の内側に設けた小穴に嵌め、左外側板(２)に回転力を伝え与える。
【００１１】
図１で、左外側板(２)の前端に前軸(１０)を設け、左内側板(３)の開孔を経て図２のブレード(１)の回転中心部に収納されたブッシング(１４)内を貫き、右側板(４)で固定する。
【００１２】
図１の左外側板(２)の前端で前軸(１０)の上方内側ににロックピン(１２)をネジ止めする。ロックピン(１２)は左内側板(３)の開溝と図２のブレード(１)の開溝(１３)とを経て、右側板(４)の内側に設けた凹形の溝に導かれる。ロックピン(１２)は左外側板(２)へのネジ止めのほかは固定されないで各開溝に沿って移動可能に設ける。
【００１３】
図１で、左外側板(２)の前端で前軸(１０)の直後上方に凹(２１)を設け、中心部には安全球(２０)がハンドル(６)内部の止め軸(２２)に設けた収納スペース内のコイルスプリングに押されて左外側板(２)の外側に抜け落ちないようにした開孔を設ける。
【００１４】
図１で、凹(２１)の外側から手指の腹などで半分近く飛び出ている安全球(２０)を押し込むと、安全球(２０)は完全に左外側板(２)内からハンドル(６)内の止め軸(２２)内に移動し、左外側板(２)と左内側板(３)との接着固定状態は外れ左外側板(２)は後軸(３０)を中心に回転可動となる。
【００１５】
ハンドル(６)内に折りたたまれたブレード(１)を開くためには、ハンドル(６)を握り凹(２１)の中心部に半分近く飛び出ている安全球(２０)を手指の腹などでハンドル(６)内に押し込むと、左外側板(２)は左内側板(３)との連結が解け後軸(３０)を中心として回転可動する。ロックピン(１２)はこの回転に伴い開溝(１３)に沿って移動し、ブレード(１)は前軸(１０)を中心に自由に回転でき、ブレード(１)のロックは解除されブレード(１)をハンドル(６)内から開くことができる。逆に、ブレード(１)が開いた使用状態にあるとき、上記と同様に安全球(２０)を操作すればブレード(１)のロックは解除され閉じることができる。
【００１６】
上記の通り、本実施例では簡単な操作によりブレード(１)は開いて使用状態にあっても、閉じてハンドル(６)内に収納状態にあってもブレード(１)はロックされ、使用時のブレード(１)とハンドル(６)との固定だけでなく、収納時でも不用意にブレード(１)が飛び出る恐れはない。
【００１７】
本明細書、または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうち一つの目的を達成すること自体で技術的有用性をもつものである。
【産業上の利用可能性】
【００１８】
回転可動な外側側板は左右いずれに設けても実用可能で、使用者の利き手に合わせた選択製作ができる。
【符号の説明】
【００１９】
１  ブレード
２  左外側板
３  左内側板
４  右側板
５  背金
６  ハンドル
１０  前軸
１２  ロックピン
１３  開溝
１４  ブッシング
２０  安全球
２１  凹
２２  止め軸
３０  後軸
３１  凹
３２  コイルスプリング
【図１】
0003198053.tif 000003
【図２】
0003198053.tif 000004
【図３】
0003198053.tif 000005